(57)【特許請求の範囲】
【請求項１】
長方形の床板と、この床板の夫々の短辺側に取り付ける長方形状の左妻枠並びに右妻枠と、床板の一方の長辺側に取り付ける後枠と、床板の他方の長辺側に取り付ける前枠とからなり、床板の各短辺側に左妻枠並びに右妻枠を縦長に配して短辺側の中央部を着脱可能に取付けると共に、床板の一方の長辺側に後枠の長辺側の中央部を着脱可能に取付け、更に床板の他方の長辺側に前枠の長辺側の中央部を着脱可能に取付けてベビーベッドを構成し、且つ上記の左妻枠、右妻枠、後枠及び前枠を床板から取り外すと共に左妻枠並びに右妻枠を横長に配して床板の夫々の短辺側に取り付け、且つこの左妻枠並びに右妻枠の夫々の端を後枠及び前枠で接続し、上記のベビーベッドを幅広なベッドに組み換えできるようにしたことを特徴とする組み換え可能なベビーベッド。
【発明の詳細な説明】
【０００１】
【発明の属する技術分野】
本発明は組み換え可能なベビーベッドに関するものである。
【０００２】
【従来の技術】
従来からベビーベッドにも各種のものがあり、赤ちゃんのいる各家庭では所望のベビーベッドを使用している。最近は不要になったベビーベッドを、ラックやベンチ等に組み換えて使用できるベビーベッドも開発されている。
【０００３】
【発明が解決しようとする課題】
ところで、赤ちゃんは、新生児のときは寝返りなど余り大きく動くこともないが、少し大きくなると盛んに動いたり寝返りをするようになり、その動きも活発で大きくなる。
【０００４】
ところが、従来のベビーベッドは、日本の住宅事情を考えて出来るだけコンパクトに形成されているため、大きくなった赤ちゃんが寝返りをうったり、大きく動いた際に枠に頭を打ち、睡眠を妨げられて夜泣きしてしまうことが多々ある。そのため、母親などは安心して熟睡することもできず、夜中に起きて泣いている赤ちゃんをあやさねばならず、赤ちゃんにとっても母親にとっても大変であった。また、母親にとっては、赤ちゃんをより広いベビーベッド内で自由に手足を動かしたり転がったりして遊ばせてやりたい思っている。
【０００５】
本発明はこのような実情にに鑑みて開発されたものであり、その目的とするところは、赤ちゃんの成長にともなって簡単に幅広のベッドに組み換えて使用できるようにしたベビーベッドを提供することにある。
【０００６】
【課題を解決するための手段】
本発明は上記目的を有効に達成するために、次のような構成にしてある。すなわち、本発明のベビーベッドは、長方形の床板と、この床板の夫々の短辺側に取り付ける長方形状の左妻枠並びに右妻枠と、床板の一方の長辺側に取り付ける後枠と、床板の他方の長辺側に取り付ける前枠とからなり、床板の各短辺側に左妻枠並びに右妻枠を縦長に配して短辺側の中央部を着脱可能に取付けると共に、床板の一方の長辺側に後枠の長辺側の中央部を着脱可能に取付け、更に床板の他方の長辺側に前枠の長辺側の中央部を着脱可能に取付けてベビーベッドを構成し、且つ上記の左妻枠、右妻枠、後枠及び前枠を床板から取り外すと共に左妻枠並びに右妻枠を横長に配して床板の夫々の短辺側に取り付け、且つこの左妻枠並びに右妻枠の夫々の端を後枠及び前枠で接続し、上記のベビーベッドを幅広なベッドに組み換えできるようにしたことを特徴とする構成にしてある。
【０００７】
【発明の実施の形態】
以下、本発明の実施の形態について説明する。
図１は本発明に係る一例のベビーベッドの斜視図であり、このベビーベッド１は、赤ちゃんの寝かせるためのベビーベッド１として使用した後、赤ちゃんの成長にともなってより幅広なベッドが必要になってきたときに、ベビーベッド１の幅を広げて使用できるようにしたものである。
【０００８】
すなわち、ベビーベッド１（図１参照）は、床板３、左妻枠４、右妻枠５、後枠６、上部前枠７ａ並びに上部前枠７ｂからなる前枠７、及びキャスター８、その他、多数の止めネジ（又はボルト・ナット）によって組み立て・分解可能に構成されている。
【０００９】
床板３は、長辺３ａが１２００ｍｍ、短辺３ｂが７００ｍｍの長方形の板状部材であって、上面にクッション材を載置してこの表面をシート材で被覆したものである。勿論、床板３の長辺３ａ、短辺３ｂの寸法は、上記した寸法に限定されるものではなく、その他の寸法であってもよい。この場合、左妻枠４、右妻枠５、後枠６、前枠７の寸法は、床板３の寸法に合わせて変更される。
【００１０】
左妻枠４並びに右妻枠５は、長辺４ａ（５ａ）が９５０ｍｍ、短辺４ｂ（５ｂ）が７５０ｍｍの長方形の板状部材で、長方形のボード４ｃ（５ｃ）の周囲に枠部材４ｄ（５ｄ）を取り付けた構成であり、床板３の両短辺３ｂ側に夫々止めネジ等によって着脱可能に取付けられている。尚、左妻枠４並びに右妻枠５は、長方形であれば、図示の例のものに限らず、如何なるデザイン・形状・大きさにするも自由である。
【００１１】
後枠６は、床板３の長辺３ａと同じ位の長さで、高さは左妻枠４並びに右妻枠５の長辺４ａ（５ａ）より少し短い（低い）寸法であり、上枠部材６ａと下枠部材（図示せず）との間に多数の縦桟６ｂと縦枠部材６ｃとを所定間隔を以て並設した構成である。この後枠６は、床板３の一方の長辺３ａ側に止めネジ等によって着脱可能に取付けられている。
【００１２】
前枠７は、別体の上部前枠７ａと上部前枠７ｂからなり、上部前枠７ａ並びに下部前枠７ｂの長辺９ａは、床板３の長辺３ａの寸法とほぼ同じ長さであり、短辺９ｂは左妻枠４又は右妻枠５の長辺４ａ（５ａ）の半分位の寸法である。上部前枠７ａは、上枠部材１０ａと下枠部材１０ｂの間に所定間隔を以て縦桟１０ｃを並設したものである。この上部前枠７ａは両側上部を止め杆１２によって左妻枠４並びに右妻枠５の上端寄りに着脱可能に係止してある。更に上部前枠７ａは、対峙する左妻枠４並びに右妻枠５の枠部材４ｄ（５ｄ）の前枠７側の縦方向に形成した縦溝１３に沿って、上下に摺動させることができるようにしてある。
【００１３】
下部前枠７ｂは、上枠部材１１ａと下枠部材１１ｂの間の両端側に、所定間隔を以て縦桟１１ｃを並設するとともに、左右の縦桟１１ｃ間には上枠部材１１ａに止めネジ１４で着脱できるようにした長方形の開閉扉１５が取り付けてある。下部前枠７ｂは、両側の上下を止めネジ１６によって左妻枠４並びに右妻枠５に着脱可能に係止してある。
【００１４】
尚、前枠は上部前枠と下部前枠とを一体的に形成したものであってもよい。また、上部前枠と下部前枠を蝶番によって連結し、上部前枠を手前に倒して開けられるようにした前枠（図示せず）であってもよい。
【００１５】
このベビーベッド１は、組み立てる場合は床板３の左右の短辺３ｂに、左妻枠４並びに右妻枠５のほぼ中間部分を係止ネジで固定するとともに、床板３の一方の長辺３ａ側に後枠６を係止ネジで固定する。更に床板３の他方の長辺３ａ側の上部に、上部前枠７ａを止め杆１２によって左妻枠４並びに右妻枠５に取付けるとともに、下部に下部前枠７ｂを止めネジ１６で左妻枠４並びに右妻枠５に取り付ける。最後に後枠６の下端両側近傍並びに下部前枠７ｂの下端両側近傍にキャスター８を取り付ける。
【００１６】
このベビーベッド１を使用する場合は、床板３の上に更にマットや敷布団等のクッション性のあるものを敷き、その上に赤ちゃんを寝かして使用する。また、開閉扉１５を開けることによって、床板３の下方の空間部分に肌着やおむつ等、赤ちゃんが日常使用するものを収納しておくことができる。
【００１７】
次に赤ちゃんの成長にともなって図１に示すベビーベッド１が狭くなってきた場合は、一旦、このベビーベッド１を分解して再組み立てを行い、図２に示すような幅広なベビーベッド２に組み換える。
【００１８】
すなわち、ベビーベッド１（図１参照）から幅広なベビーベッド２（図２参照）に組み換える場合には、ベビーベッド１の床板３から左妻枠４、右妻枠５、後枠６、前枠７（上部前枠７ａ、下部前枠７ｂ）を取り外す。
【００１９】
そして左妻枠４、右妻枠５を９０°回転させて横長にし、この左妻枠４を床板３の一方の短辺側にネジ（図示せず）等で固着すると共に、右妻枠５を床板３の他方の短辺側にネジ（図示せず）等で固着する。
【００２０】
更にこの対峙する左妻枠４と右妻枠５との端（後側）に後枠６をネジ（図示せず）等で固着すると共に、もう一方の端（前側）に前枠７（上部前枠７ａ、下部前枠７ｂ）をネジ（図示せず）等で固着し、幅広のベビーベッド２を組み立てる。
【００２１】
また、このベビーベッド２においては、後枠６並びに前枠７と、床板３との間に隙間が生じることになるが、この場合、床板３の上にこの隙間を覆う床板、又はマット等を載せて使用するようにしてもよい。勿論、この隙間は余り大きくないので、赤ちゃんが落ち込むといったことはなく安全上何の問題もない。
【００２２】
尚、ベビーベッド２に組み換えた場合、床板３は左妻枠４と右妻枠５で支持することになるので、赤ちゃんを寝かせた場合、中央部分で撓むことが考えられる。そこで、この床板３を補強するために、床板３の中央部の下に支持杆（図示せず）を配し、この支持杆の両端を左妻枠４並びに右妻枠５で支持させるようにしてもよい。また、支持杆（図示せず）を後枠６並びに前枠７で支持できるようにしてもよい。
【００２３】
このようにして組み換えたベビーベッド２（図２参照）では、先に使用していたベビーベッド１（図１参照）より幅が広くなり、大きくなった赤ちゃんが寝返りをうったり、大きく動いても前枠７や後枠６で頭を打つこともない。したがって、従来のように夜中に寝返りをうって前枠７等に頭を売って夜泣きするといったこともなく、母親も安心して熟睡することができる。
【００２４】
尚、本発明は、構成部品の大きさ、形状、デザイン等を任意に設計変更してもよい。また使用する部品を追加してもよい。また、幅広のベビーベッド２から床板３を除去することにより、ミドルサークルとしても使用することができる。
【００２５】
【発明の効果】
以上、上記の説明でも明らかなように、本発明のベビーベッドでは、赤ちゃんが大きくなって動きが活発になってきた場合は、幅広のベビーベッドに組み換えて使用することにより、赤ちゃんが動いて前枠や後枠に頭をぶつけるといったこともなくなり、動きの活発にあってきた赤ちゃんを寝かせておくのに、非常に安全なベビーベッドを提供することができる。また、親も安心して赤ちゃんを寝かせておくことができる。
【図面の簡単な説明】
【図１】本発明に係る組み換え可能なベビーベッドの斜視図である。
【図２】図１のベビーベッドを幅広なベビーベッドに組み換えた斜視図である。
【符号の説明】
１  ベビーベッド
２  幅広なベビーベッド
３  床板
３ａ  床板の長辺
３ｂ  床板の短辺
４  左妻枠
５  右妻枠
６  後枠
７ａ  上部前枠
７ｂ  下部前枠
７  前枠
【図１】
0004047963.tif 000002
【図２】
0004047963.tif 000003